(57)【要約】【課題】  写真アルバムなどのように、複数の台紙が、ノート状あるいは書籍状に綴じられ、デジタル合成技術によって印刷された写真が各台紙の表面によって形成される各頁の全面にわたって貼り付けられる紙葉片貼付冊子に用いられる台紙を提供する。【解決手段】  両者の間に所定の隙間（１１１）をあけて互いに平行に延びる２本の折れ目線（１１２、１１３）からなる折れ目線部が中央に形成され、２本の折れ目線（１１２、１１３）を挟んで両側の表面側がそれぞれ台紙表面を形成する部分（１０１、１０２）にされている台紙用薄片部材（１）を、台紙表面を形成する部分（１０１、１０２）が互いに対向するように２本の折れ目線（１１２、１１３）で折り曲げ、第一の台紙用厚片部材（２１）を介層して上下に積層し、第一の台紙用厚片部材（２１）の上下に位置する各台紙用薄片部材（１）の台紙表面を形成する部分（１０１、１０２）の背面側と、第一の台紙用厚片部材（２１）との当接面をそれぞれ接着してなる紙葉片貼付冊子用の台紙。【選択図】  図５
0003104521.tif 000002
【実用新案登録請求の範囲】
【請求項１】
両者の間に所定の隙間をあけて互いに平行に延びる２本の折れ目線からなる折れ目線部が中央に形成され、前記２本の折れ目線を挟んで両側の表面側がそれぞれ台紙表面を形成する部分にされている台紙用薄片部材を、前記台紙表面を形成する部分が互いに対向するように前記２本の折れ目線で折り曲げ、第一の台紙用厚片部材を介層して上下に積層し、当該第一の台紙用厚片部材の上下に位置する各台紙用薄片部材の前記台紙表面を形成する部分の背面側と、前記第一の台紙用厚片部材との当接面をそれぞれ接着してなる紙葉片貼付冊子用の台紙。
【請求項２】
両者の間に所定の隙間をあけて互いに平行に延びる２本の折れ目線からなる折れ目線部が中央に形成され、前記２本の折れ目線を挟んで両側の表面側がそれぞれ台紙表面を形成する部分にされている台紙用薄片部材を、前記台紙表面を形成する部分が互いに対向するように前記２本の折れ目線で折り曲げ、当該台紙用薄片部材の前記台紙表面を形成する部分の背面側にそれぞれ第二の台紙用厚片部材を貼り付けてなる紙葉片貼付冊子用の台紙。
【請求項３】
台紙用薄片部材の前記２本の折れ目線の間に形成されている隙間の部分における背面側が背面部材に固定されて支持されていることを特徴とする請求項１又は２記載の紙葉片貼付冊子用の台紙。
【請求項４】
台紙用薄片部材の台紙表面を形成する部分の表面に粘着剤層を介して剥離紙が積層されていることを特徴とする請求項１乃至３のいずれか一項記載の紙葉片貼付冊子用の台紙。
【請求項５】
台紙用薄片部材は、布部材又は紙からなることを特徴とする請求項１乃至４のいずれか一項記載の紙葉片貼付冊子用の台紙。
【請求項６】
布部材は絹布又は不織布であることを特徴とする請求項５記載の紙葉片貼付冊子用の台紙。
【考案の詳細な説明】
【技術分野】
【０００１】
この考案は紙葉片貼付冊子用の台紙に関し、特に、写真アルバムなどのように、複数の台紙が、ノート状、あるいは、書籍状に綴じられ、デジタル合成技術によって印刷された写真、図案、図表、文字、模様などが、各台紙の表面によって形成される各頁の全面にわたって貼り付けられる紙葉片貼付冊子に用いられる台紙に関する。
【背景技術】
【０００２】
写真用アルバムに代表される紙葉片収容冊子としては従来から種々のものが提案されている。
【０００３】
例えば、図１図示のように、複数の紙製の台紙２０の背面側２１を表紙部材１４の背部１５に接着して積層した形態の紙葉片収容冊子がある。ここで、例えば、台紙２０の表面には、再剥離性の粘着剤を介して透明の合成樹脂フィルムが積層され、この合成樹脂製フィルムを剥がして写真等を挿入し、当該写真等を台紙２０の表面と合成樹脂フィルムとの間に挟んで収容する形態が採用されることがある。
【０００４】
他の形態としては、図２、図３図示のように、両者の間に所定の隙間をあけて互いに平行に延びる２本の折れ目線１７ａ、１７ｂからなる折れ目線部１７が中央に形成される一枚の台紙用紙板であって、前記２本の折れ目線１７ａ、１７ｂを挟んで両側の表面側がそれぞれ台紙表面を形成する部分１８ａ、１８ｂとされている台紙用紙板１８を、台紙表面を形成する部分１８ａ、１８ｂが互いに対向するように、折れ目線部１７で折り曲げ、これを複数積層し、隣接する上側の台紙用紙板１８の台紙表面を形成する部分１８ｂの背面１８ｃと、下側の台紙用紙板１８の台紙表面を形成する部分１８ａの背面１８ｄとを互いに接着させた紙葉片収容冊子がある。この紙葉片収容冊子でも、前記台紙表面を形成する部分１８ａ、１８ｂの表面にそれぞれ再剥離性の粘着剤を介して透明の合成樹脂フィルムを積層して使用されることがある。
【０００５】
図１の実施形態の紙葉片収容冊子の場合、いかに強力な接着剤を使用しても、台紙２０の背面側２１の面積が小さいので、外力を受けた場合に、台紙２０が落丁してしまうおそれがある。
【０００６】
図２図示の形態の場合、写真等が貼り付けられるように、ある程度の厚みを有している台紙用紙板１８そのものを折れ目線部１７で折り曲げるので、折れ目線１７ａ、１７ｂのところに凹凸部１６が形成されてしまう。そこで、写真等を台紙２０の表面全面に貼り付けるようとすると、この凹凸部１６によって綺麗に貼り付けることができなくなる。
【０００７】
また、台紙表面を形成する部分１８ａ、１８ｂを開いて見開き状態にしたときに、この凹凸部１６の存在により、図２中、左側の台紙表面を形成する部分１８ａと、右側の台紙表面を形成する部分１８ｂとが分断されてしまい、視覚状、右側と左側との一体感を損なうおそれがあった。
【０００８】
更に、写真等が貼り付けられるように、ある程度の厚みを有している台紙用紙板１８そのものを折れ目線部１７で折り曲げるので、折れ目線１７ａと１７ｂとの間の隙間１７ｃの大きさをある程度大きくしておく必要がある。このため、台紙表面を形成する部分１８ａ、１８ｂを開いて見開き状態にしたときに、この大きな隙間１７ｃの存在により、図２中、左側の台紙表面を形成する部分１８ａと、右側の台紙表面を形成する部分１８ｂとが分断され、視覚状、右側と左側との一体感を損なうおそれが一層大きくならざるを得なかった。
【０００９】
また、写真等が貼り付けられるように、ある程度の厚みを有している台紙用紙板１８そのものが折れ目線部１７で折り曲げられているので、この折り曲げられた台紙用紙板１８の弾性回復力により、頁を展開するときに不自由感が生じることを避けられなかった。
【特許文献１】特開平１０−７１７７８号公報
【考案の開示】
【考案が解決しようとする課題】
【００１０】
今日では、デジタル合成技術の進展により、一般の家庭においてデジタルカメラ等で撮影した写真を好みの大きさに印刷したり、インターネットで入手した絵、写真などを好みの大きさに印刷する、しかもカラー印刷することが気軽に行われるようになっている。
【００１１】
そこで、この自宅などで印刷した写真、図案、図表、文字、模様などを専門の印刷所が作成した印刷物のように、ノート状、書籍状に綴じて保存できることが望まれている。しかも、例えば、写真アルバムなどのように、複数の台紙が、ノート状、あるいは、書籍状に綴じられている形態であって、当該台紙の全面に前記の印刷した写真、図案、図表、文字、模様などを貼り付けることができ、必要に応じて綴じる台紙の枚数を増減できるものであれば一層便利である。
【００１２】
しかし、図１〜図３に示す従来の形態の紙葉片収容冊子では、前述した問題点から、このような要請に応えることは困難であった。
【００１３】
この考案は、写真アルバムなどのように、複数の台紙が、ノート状、あるいは、書籍状に綴じられ、デジタル合成技術によって印刷された写真、図案、図表、文字、模様などが、各台紙の表面によって形成される各頁の全面にわたって貼り付けられる紙葉片貼付冊子に用いられる台紙において、中央の折り目部を中心として左右両側に形成されている台紙部分が互いに対向するように中央の折り目部で折り曲げても、折り曲げ部にあたる中央の折り目部に凹凸部が形成されることが無く、これによって、台紙部分の表面全面に写真等を貼り付けたときでも、前述した凹凸部の存在によって写真等を綺麗に貼り付けられなくなることを防止することを目的としている。
【００１４】
更に、前述した紙葉片貼付冊子用台紙を複数枚綴じて形成した紙葉片貼付冊子を展開したときに、中央の折り目部を挟んで左右両側に位置する台紙部分同士の間に形成される隙間が必要以上に大きくなく、中央の折り目部を挟んで左右両側に位置する台紙部分を開いて見開き状態にしたときに、左右の台紙部分が前記の凹凸部や隙間によって分断されて、視覚状、右側と左側との一体感を損なうおそれのない紙葉片貼付冊子用台紙を提供することを目的としている。
【００１５】
また、前述した紙葉片貼付冊子用台紙を複数枚綴じて形成した紙葉片貼付冊子の頁を展開するときに不自由感が生じることなどがなく、自在に頁を展開することができる紙葉片貼付冊子用台紙を提供することを目的としている。
【００１６】
また、前述した紙葉片貼付冊子用台紙を複数枚綴じて形成した紙葉片貼付冊子において、紙葉片貼付冊子の背部から台紙の背面側が剥離するおそれを無くすることを目的としている。
【課題を解決するための手段】
【００１７】
前記課題を解決するため、この考案が提案する紙葉片貼付冊子用の台紙は、両者の間に所定の隙間をあけて互いに平行に延びる２本の折れ目線からなる折れ目線部が中央に形成され、前記２本の折れ目線を挟んで両側の表面側がそれぞれ台紙表面を形成する部分にされている台紙用薄片部材を、前記台紙表面を形成する部分が互いに対向するように前記２本の折れ目線で折り曲げ、第一の台紙用厚片部材を介層して上下に積層し、当該第一の台紙用厚片部材の上下に位置する各台紙用薄片部材の前記台紙表面を形成する部分の背面側と、前記第一の台紙用厚片部材との当接面をそれぞれ接着してなるものである。
【００１８】
また、この考案が提案する他の紙葉片貼付冊子用の台紙は、両者の間に所定の隙間をあけて互いに平行に延びる２本の折れ目線からなる折れ目線部が中央に形成され、前記２本の折れ目線を挟んで両側の表面側がそれぞれ台紙表面を形成する部分にされている台紙用薄片部材を、前記台紙表面を形成する部分が互いに対向するように前記２本の折れ目線で折り曲げ、当該台紙用薄片部材の前記台紙表面を形成する部分の背面側にそれぞれ第二の台紙用厚片部材を貼り付けてなるものである。
【００１９】
前述した本考案の紙葉片貼付冊子用の台紙によれば、中央の折れ目線部、より具体的には２本の折れ目線で折り曲げられるのは台紙用薄片部材であって、写真等が貼り付けられるようにある程度の厚みを有している台紙そのものではない。そこで、折り曲げたときに、中央の折り目部に凹凸部が形成されることが無くなる。これによって、台紙部分の表面全面に写真等を貼り付けたときでも、前述した凹凸部の存在によって写真等を綺麗に貼り付けられなくなることがない。
【００２０】
また、前述した本考案の紙葉片貼付冊子用の台紙によれば、中央の折れ目線部、より具体的には２本の折れ目線で折り曲げられるのは台紙用薄片部材であって、写真等が貼り付けられるようにある程度の厚みを有している台紙そのものではないので、折れ目線部を構成する２本の折れ目線の間の間隔（隙間）を狭くしても、容易に折り曲げることができる。そこで、本考案の紙葉片貼付冊子用台紙を複数枚綴じて形成した紙葉片貼付冊子を展開したときに、中央の折り目部を挟んで左右両側に位置する台紙部分同士の間に形成される隙間は狭くてすむので、中央の折り目部を挟んで左右両側に位置する台紙部分を開いて見開き状態にしたときに、前記の隙間によって分断されて、視覚状、右側と左側との一体感を損なうおそれがなくなる。この点、前述したように、中央の折り目部に凹凸部が形成されず、台紙部分の表面全面に写真等を貼り付けることができることとあいまって、中央の折り目部を挟んで左右両側に位置する台紙部分を開いて見開き状態にしたときに、視覚状、右側と左側との一体感が一層高められることになる。
【００２１】
更に、前述した本考案の紙葉片貼付冊子用の台紙によれば、中央の折れ目線部、より具体的には２本の折れ目線で折り曲げられるのは台紙用薄片部材であって、写真等が貼り付けられるようにある程度の厚みを有している台紙そのものではないので、本考案の紙葉片貼付冊子用台紙を複数枚綴じて形成した紙葉片貼付冊子の頁を展開するときに不自由感が生じることなどはなく、自在に頁を展開できるようになる。
【００２２】
前記本考案のいずれの紙葉片貼付冊子用の台紙においても、台紙用薄片部材の前記２本の折れ目線の間に形成されている隙間の部分における背面側が背面部材に固定されて支持されている形態にすることができる。
【００２３】
これによって、本考案の紙葉片貼付冊子用台紙を複数枚綴じて形成した紙葉片貼付冊子において、紙葉片貼付冊子の背部から台紙の背面側が剥離するおそれを無くすることができる。
【００２４】
また、このように台紙用薄片部材の前記２本の折れ目線の間に形成されている隙間の部分における背面側を背面部材に固定して支持させることにより、本考案の紙葉片貼付冊子用の台紙を台紙用薄片部材の中央の折れ目線部、より具体的には２本の折れ目線で折り曲げて、台紙表面を形成する部分を互いに対向させたときに、対向する台紙表面同士の間には、台紙用薄片部材の前記２本の折れ目線の間に形成されている隙間の大きさに相当する間隔が維持される。そこで、対向している台紙表面の全面にそれぞれ写真等を貼り付けておいても、本考案の紙葉片貼付冊子用台紙を複数枚綴じて形成した紙葉片貼付冊子全体が、厚ぼったく、膨らむことはなくなる。
【００２５】
次に、前記本考案のいずれの紙葉片貼付冊子用の台紙においても、台紙用薄片部材の台紙表面を形成する部分の表面に粘着剤層を介して剥離紙が積層されている形態にすることができる。
【００２６】
このようにすれば、剥離紙を剥がして、台紙表面の全面に写真等を貼り付けることができるので便利である。
【００２７】
なお、このように粘着剤層を介して剥離紙が台紙表面を形成する部分の表面に積層されている形態ではない場合には、台紙表面全面の大きさに成形した写真等の印刷物を、接着剤等によって、台紙表面に貼り付ければよい。
【００２８】
更に、前記本考案のいずれの紙葉片貼付冊子用の台紙においても、台紙用薄片部材は、布部材又は紙からなる形態にすることができる。
【００２９】
ここで、前記の布部材は、絹布又は不織布にすることができる。
【００３０】
このように、台紙用薄片部材を絹布又は不織布などの布部材又は紙製にすれば、台紙用薄片部材を中央の折れ目線部、より具体的には２本の折れ目線で折り曲げたときに、中央の折り目部に凹凸部が形成されることを確実に防止できる。また、折れ目線部を構成する２本の折れ目線の間の間隔（隙間）を可能な限り狭くしても、容易に折り曲げることができる。更に、本考案の紙葉片貼付冊子用台紙を複数枚綴じて形成した紙葉片貼付冊子の頁を展開するときに不自由感が生じることなどはなくなり、自在に頁を展開できるようになる。
【考案の効果】
【００３１】
この考案によれば、写真アルバムなどのように、複数の台紙が、ノート状、あるいは、書籍状に綴じられ、デジタル合成技術によって印刷された写真、図案、図表、文字、模様などが、各台紙の表面によって形成される各頁の全面にわたって貼り付けられる紙葉片貼付冊子に用いられる台紙において、中央の折れ目線部、より具体的には２本の折れ目線で折り曲げられるのが台紙用薄片部材であって、写真等が貼り付けられるようにある程度の厚みを有している台紙そのものではなくなる。
【００３２】
そこで、この考案の紙葉片貼付冊子用台紙によれば、折り曲げたときに、中央の折り目部に凹凸部が形成されることが無くなる。これによって、台紙部分の表面全面に写真等を貼り付けたときでも、前述した凹凸部の存在によって写真等を綺麗に貼り付けられなくなることがない。
【００３３】
また、本考案の紙葉片貼付冊子用の台紙によれば、中央の折れ目線部、より具体的には２本の折れ目線で折り曲げられるのは台紙用薄片部材であって、写真等が貼り付けられるようにある程度の厚みを有している台紙そのものではないので、折れ目線部を構成する２本の折れ目線の間の間隔（隙間）を狭くしても、容易に折り曲げることができる。そこで、本考案の紙葉片貼付冊子用台紙を複数枚綴じて形成した紙葉片貼付冊子を展開したときに、中央の折り目部を挟んで左右両側に位置する台紙部分同士の間に形成される隙間は狭くてすむので、中央の折り目部を挟んで左右両側に位置する台紙部分を開いて見開き状態にしたときに、前記の隙間によって分断されて、視覚状、右側と左側との一体感を損なうおそれがなくなる。この点、前述したように、中央の折り目部に凹凸部が形成されず、台紙部分の表面全面に写真等を貼り付けることができることとあいまって、中央の折り目部を挟んで左右両側に位置する台紙部分を開いて見開き状態にしたときに、視覚状、右側と左側との一体感が一層高められることになる。
【００３４】
更に、本考案の紙葉片貼付冊子用の台紙によれば、中央の折れ目線部、より具体的には２本の折れ目線で折り曲げられるのは台紙用薄片部材であって、写真等が貼り付けられるようにある程度の厚みを有している台紙そのものではないので、本考案の紙葉片貼付冊子用台紙を複数枚綴じて形成した紙葉片貼付冊子の頁を展開するときに不自由感が生じることなどはなく、自在に頁を展開できるようになる。
【００３５】
また、本考案の紙葉片貼付冊子用台紙を複数枚綴じて形成した紙葉片貼付冊子において、紙葉片貼付冊子の背部から台紙の背面側が剥離するおそれを無くすることができる。
【００３６】
更に、台紙用薄片部材の前記２本の折れ目線の間に形成されている隙間の部分における背面側を背面部材に固定して支持させることにより、本考案の紙葉片貼付冊子用の台紙を台紙用薄片部材の中央の折れ目線部、より具体的には２本の折れ目線で折り曲げて、台紙表面を形成する部分を互いに対向させたときに、対向する台紙表面同士の間には、台紙用薄片部材の前記２本の折れ目線の間に形成されている隙間の大きさに相当する間隔が維持される。そこで、対向している台紙表面の全面にそれぞれ写真等を貼り付けておいても、本考案の紙葉片貼付冊子用台紙を複数枚綴じて形成した紙葉片貼付冊子全体が、厚ぼったく、膨らむことはなくなる。
【００３７】
この考案の紙葉片貼付冊子用台紙は、専門業者の使用に耐え得るだけでなく、一般の人が自宅などで印刷した写真、図案、図表、文字、模様などを台紙の全面に貼り付け、これを、あたかも専門の印刷所が作成した印刷物のように、ノート状、書籍状に綴じて保存することが簡単にできるようになる。
【考案を実施するための最良の形態】
【００３８】
以下、添付図面を参照して本考案の好ましい実施形態を説明する。
【００３９】
まず、図９（ａ）図示のように、台紙用薄片部材１を準備する。台紙用薄片部材１は、両者の間に所定の隙間１１１をあけて互いに平行に延びる２本の折れ目線１１２、１１３からなる折れ目線部１１４が中央に形成され、この２本の折れ目線１１２、１１３を挟んで両側の表面側がそれぞれ台紙表面を形成する部分１０１、１０２にされているものである。
【００４０】
台紙用薄片部材１は、絹布又は不織布などの布部材又は目付け１５０ｇ／ｍ２以下の紙から形成することができる。
【００４１】
隙間１１１の図９（ａ）中、左右方向の大きさは、０．３〜０．８ｍｍの範囲にしておくことが望ましい。
【００４２】
この台紙用薄片部材１の台紙表面を形成する部分１０１、１０２が互いに対向するように２本の折れ目線１１２、１１３で台紙用薄片部材１を折り曲げ、図５図示のように、第一の台紙用厚片部材２１を介層して上下に積層する。そして、第一の台紙用厚片部材２１の上下に位置するそれぞれの台紙用薄片部材１の台紙表面を形成する部分１０１、１０２の背面側と、第一の台紙用厚片部材２１との当接面をそれぞれ接着して本考案の紙葉片貼付冊子用の台紙とする。
【００４３】
図５中、符号３で表されている部分は、台紙用薄片部材１の台紙表面を形成する部分１０１、１０２の背面側と、第一の台紙用厚片部材２１との当接面をそれぞれ接着することに用いられている接着剤層である。
【００４４】
第一の台紙用厚片部材２１は、前記のように絹布又は不織布などの布部材又は目付け１５０ｇ／ｍ２以下の紙からなる台紙用薄片部材１が貼り付けられ、写真などの印刷物が貼り付けられる台紙部分の事実上の骨格をなすものであるから、目付け３５０〜４００ｇ／ｍ２の紙板製にすることが望ましい。
【００４５】
図５では、台紙表面を形成する部分１０１、１０２が互いに対向するように２本の折れ目線１１２、１１３で折り曲げられている台紙用薄片部材１が４個積層されている。
【００４６】
なお、台紙用薄片部材１の２本の折れ目線１１２、１１３の間に形成されている隙間１１１の部分における背面側（図５中、右側）は、外枠テープなどからなる背面部材４に、接着剤などを用いて固定し、支持される構成にすることができる。
【００４７】
こうすることによって、台紙用薄片部材１の中央の折れ目線部１１４、より具体的には２本の折れ目線１１２、１１３で折り曲げて、台紙表面を形成する部分１０１、１０２を互いに対向させたときに、対向する台紙表面１０１、１０２の間には、台紙用薄片部材１の２本の折れ目線１１２、１１３の間に形成されている隙間の大きさ（０．３〜０．８ｍｍ）に相当する間隔６が維持される。
【００４８】
そこで、対向している台紙表面１０１、１０２の全面にそれぞれ写真等を貼り付けておいても、本考案の紙葉片貼付冊子用台紙を複数枚綴じて形成した紙葉片貼付冊子全体が、厚ぼったく、膨らむことはなくなる。
【００４９】
前述した隙間１１１の図９（ａ）中、左右方向の大きさはが０．３〜０．８ｍｍの範囲であることが好ましい理由は、このように、台紙用薄片部材１を中央の折れ目線部１１４、より具体的には２本の折れ目線１１２、１１３で折り曲げて、台紙表面を形成する部分１０１、１０２を互いに対向させ、対向している台紙表面１０１、１０２の全面にそれぞれ写真等を貼り付けることを考慮すると、少なくとも０．３ｍｍ以上であることが望ましく、その一方、０．８ｍｍを越えてしまうと、台紙表面１０１、１０２の全面にそれぞれ写真等を貼り付け、中央の折り目部１１４を挟んで左右両側に位置する台紙部分を開いて見開き状態にしたときに、視覚状、右側と左側との一体感が損なわれることになるので、好ましくないからである。
【００５０】
台紙表面を形成する部分１０１、１０２の表面には、図６図示のように、粘着剤層７を介して剥離紙８積層しておくことができる。このようにしておけば、隔離紙８を引き剥がした後、貼り付けようとする写真などの印刷物を台紙表面を形成する部分１０１、１０２の表面に張り付けるときに便利である。
【００５１】
以上に説明したこの考案の紙葉片貼付冊子用台紙は、図４図示のように、上下方向に複数の台紙を積層して綴じ、背面部材４の背面側及び、最上層、最下層を図４図示のように、表紙部材１４で覆った、ノート状、あるいは、書籍状に綴じられたアルバムのような紙葉片貼付冊子にすることができる。
【００５２】
図９（ｂ）、（ｃ）、図７、８は、本考案の他の紙葉片貼付冊子用の台紙を説明するものである。
【００５３】
図９（ａ）で説明した台紙用薄片部材１を、台紙表面を形成する部分１０１、１０２が互いに対向するように２本の折れ目線１１２、１１３で折り曲げ（図９（ｂ））、台紙用薄片部材１の台紙表面を形成する部分１０１、１０２の背面側にそれぞれ第二の台紙用厚片部材２２、２２を貼り付けて構成したものである（図９（ｃ））。
【００５４】
図８では、かかる構造の紙葉片貼付冊子用台紙が３個、上下に積層されている。図８中、符号３で表されているのは、台紙用薄片部材１の台紙表面を形成する部分１０１、１０２の背面側と第二の台紙用厚片部材２２、２２とを接着する接着剤層及び、上下に位置する第二の台紙用厚片部材２２と２２とを接着する接着剤層である。
【００５５】
この実施形態でも、台紙用薄片部材１の２本の折れ目線１１２、１１３の間に形成されている隙間１１１の部分における背面側（図８中、右側）を、外枠テープなどからなる背面部材４に、接着剤などを用いて固定し、支持する構成にすることができる。
【００５６】
この実施形態でも第二の台紙用厚片部材２２は、前記のように絹布又は不織布などの布部材又は目付け１５０ｇ／ｍ２以下の紙からなる台紙用薄片部材１が貼り付けられ、写真などの印刷物が貼り付けられる台紙部分の事実上の骨格をなすものである。ただし、前述した図４、図５図示の実施形態と異なり、台紙用薄片部材１の台紙表面を形成する部分１０１、１０２の背面側にそれぞれ第二の台紙用厚片部材２２、２２が貼り付けられることになるので、第二の台紙用厚片部材２２は、目付け１８０〜２２０ｇ／ｍ２の紙板製にすることが望ましい。
【００５７】
ようするに、図７、図８図示の実施形態は、図４、図５図示の実施形態における一枚の第一の台紙用厚片部材２１を、２枚の第二の台紙用厚片部材２２、２２に変更したものである。当然、第二の台紙用厚片部材２２をもう少し目付けの小さいものとし、３枚、４枚用いる形態にすることも可能である。
【００５８】
図７、図８図示の実施形態におけるその他の点は、図４、図５図示の実施形態におけるものと同一であるので、共通する構成部分には共通する符号を付して、その説明を省略する。
【００５９】
以上に説明したこの考案の紙葉片貼付冊子用台紙も、図７図示のように、上下方向に複数の台紙を積層して綴じ、背面部材４の背面側及び、最上層、最下層を図７図示のように、表紙部材１４で覆った、ノート状、あるいは、書籍状に綴じられたアルバムのような紙葉片貼付冊子にすることができる。
【００６０】
以上、添付図面を参照して本考案の好ましい実施形態を説明したが、本考案はかかる実施形態に限定されるものではなく、添付の実用新案登録請求の範囲の記載から把握される技術的範囲において種々の形態に変更可能である。
【図面の簡単な説明】
【００６１】
【図１】従来の紙葉片収容冊子の一例を説明する斜視図。
【図２】従来の紙葉片収容冊子の他の例を説明する斜視図。
【図３】図３図示の紙葉片収容冊子の一部拡大図。
【図４】本考案の紙葉片貼付冊子用台紙が上下に複数積層され、アルバム状に綴じられた紙葉片貼付冊子の側面図。
【図５】図４図示の紙葉片貼付冊子の一部拡大断面図。
【図６】図４図示の紙葉片貼付冊子を展開した状態を説明する斜視図。
【図７】本考案の他の紙葉片貼付冊子用台紙が上下に複数積層され、アルバム状に綴じられた紙葉片貼付冊子の側面図。
【図８】図７図示の紙葉片貼付冊子の一部拡大断面図。
【図９】（ａ）本考案の紙葉片貼付冊子用台紙に用いられる台紙用薄片部材の平面図、（ｂ）図９（ａ）図示の台紙用薄片部材から図７図示の紙葉片貼付冊子に用いられている他の紙葉片貼付冊子用台紙が形成される工程を説明する斜視図、（ｃ）図７図示の紙葉片貼付冊子に用いられている他の紙葉片貼付冊子用台紙の斜視図。
【符号の説明】
【００６２】
１    台紙用薄片部材
３    接着剤層
４    外枠テープなどからなる背面部材
６    対向する台紙表面の間の間隔
７    粘着剤層
８    剥離紙
１４  表紙部材
２１  第一の台紙用厚片部材
２２  第二の台紙用厚片部材
１０２、１０３  台紙表面を形成する部分
１１１  ２本の折れ目線の間の隙間
１１２、１１３  折れ目線
１１４  折れ目線部
【図１】
0003104521.tif 000003
【図２】
0003104521.tif 000004
【図３】
0003104521.tif 000005
【図４】
0003104521.tif 000006
【図５】
0003104521.tif 000007
【図６】
0003104521.tif 000008
【図７】
0003104521.tif 000009
【図８】
0003104521.tif 000010
【図９】
0003104521.tif 000011